(57)【要約】【課題】空気浄化装置において、使用者の呼吸域を快適な空気環境にするために、吹出し空気の温度や湿度さらに酸素量を調整できるようにすること。【解決手段】空気を浄化するフィルタ１６（浄化手段）と、空気中の酸素を富化する酸素富化手段２１と、空気の温度を調節する温度調節手段１９と、空気の湿度を調節する湿度調節手段２０と、空気を使用者の呼吸域に向けて送風する送風手段１８とを備える構成としたことにより、吹き出し温度や湿度を調節され酸素を富化された、周囲の空気や使用者の状態に応じた快適な空気を、使用者の呼吸域へ送風できるようになる。【選択図】  図２
2004163028.tif 000002
【特許請求の範囲】
【請求項１】
空気を浄化する浄化手段と、空気中の酸素を富化する酸素富化手段と、空気の温度を調節する温度調節手段と、空気の湿度を調節する湿度調節手段と、空気を使用者の呼吸域に向けて送風する送風手段とを備えた空気浄化装置。
【請求項２】
空気浄化装置に取り入れた空気の温度と湿度を調整した後の空気を、酸素富化手段に導く構成とした請求項１に記載の空気浄化装置。
【請求項３】
空気を浄化する浄化手段と、空気中の酸素を富化する酸素富化手段と、空気の温度を調節する温度調節手段と、空気の湿度を調節する湿度調節手段と、空気を使用者の呼吸域に向けて送風する送風手段と、空気の状態を検知する検知手段と、前記検知手段の信号に基づいて前記酸素富化手段と前記温度調節手段と前記湿度調節手段および前記送風手段の少なくとも１つを制御する制御手段を備えた空気浄化装置。
【請求項４】
酸素富化手段は、吹出し空気の酸素濃度を可変できる構成とした請求項１または２に記載の空気浄化装置。
【請求項５】
送風手段は、吹出し空気の風量を可変できる構成とした請求項１または２に記載の空気浄化装置。
【請求項６】
温度調節手段は、吹出し空気の温度を可変できる構成とした請求項１または２に記載の空気浄化装置。
【請求項７】
湿度調節手段は、吹出し空気の湿度を可変できる構成とした請求項１または２に記載の空気浄化装置。
【発明の詳細な説明】
【０００１】
【発明の属する技術分野】
本発明は、使用者の呼吸域に快適な空気環境を提供する空気浄化装置に関するものである。
【０００２】
【従来の技術】
従来、この種空気浄化装置には、室内空気を本体へ吸い込み、各種フィルタを通過させて塵埃や臭気物質を除去した清浄空気を、吹出口を介して室内に吹き出すものがある。一部の空気浄化装置には、浄化機能に加え、芳香などの有効成分を付加させるものや酸素を富化させるものがあり、有効成分を付加した空気や酸素富化の空気を吸入するための吸入マスクを配設しているものもある（例えば、特許文献１参照）。
【０００３】
図３は前記特許文献１に記載された従来の空気清浄機を示すものである。図３において、１は空気清浄機の本体、２は空気吸込口、３は空気吹出口、４は集塵フィルタである。５は酸素富化空気発生室で、酸素富化空気発生装置６、空気ポンプ７、吸着塔８により構成されている。９はファン、１０は酸素などを富化した空気を吸入するための吸入マスクである。
【０００４】
【特許文献１】
特許第３０８１５１９号公報（第１−８頁、第２図）
【０００５】
【発明が解決しようとする課題】
しかしながら、前記従来の空気清浄機では、主に室内全体の空気を浄化することをねらいとしているので吐出風量を大きくすることが必要であり、吐出方向は上方であり、高酸素濃度の空気は使用者に到達しにくい。これを解決するために吸入マスクを使用する場合、使用者はマスクを着用しなければならないため、使用場所や使用条件などが限定される。また、従来の空気清浄機では吹き出し温度や湿度の調節機能を有していないため、周囲の空気や使用者の状態に応じた空気環境を提供することは難しい。
【０００６】
本発明は、前記従来の課題を解決するもので、使用者の呼吸域を快適な空気環境にするために、吹出し空気の温度や湿度さらに酸素量を調整できる空気浄化装置を提供することを目的とする。
【０００７】
【課題を解決するための手段】
従来の課題を解決するために、本発明の空気浄化装置は、空気を浄化する浄化手段と、空気中の酸素を富化する酸素富化手段と、空気の温度を調節する温度調節手段と、空気の湿度を調節する湿度調節手段と、空気を使用者の呼吸域に向けて送風する送風手段とを備える構成とした。
【０００８】
これによって、空気浄化装置に取りこんだ空気を浄化して清浄空気にし、さらに温度と湿度の調整および酸素を富化することで、使用者の呼吸域に快適な空気環境を提供できるものである。
【０００９】
【発明の実施の形態】
請求項１に記載の発明は、空気を浄化する浄化手段と、空気中の酸素を富化する酸素富化手段と、空気の温度を調節する温度調節手段と、空気の湿度を調節する湿度調節手段と、空気を使用者の呼吸域に向けて送風する送風手段とを備えたことにより、空気浄化装置に取りこんだ空気を浄化して清浄空気にし、さらに温度と湿度の調整および酸素を富化することで、使用者の呼吸域に快適な空気環境を提供することができる。
【００１０】
請求項２に記載の発明は、請求項１に記載の発明に加えて、空気浄化装置に取り入れた空気の温度と湿度を調整した後の空気を酸素富化手段に導く構成としたものであり、清浄さと快適さを与える空気に酸素を富化を作用させることで所望の酸素濃度の空気をすばやく使用者により送風することができる。
【００１１】
請求項３に記載の発明は、空気を浄化する浄化手段と、空気中の酸素を富化する酸素富化手段と、空気の温度を調節する温度調節手段と、空気の湿度を調節する湿度調節手段と、空気を使用者の呼吸域に向けて送風する送風手段と、空気の状態を検知する検知手段と、前記検知手段の信号に基づいて前記酸素富化手段と前記温度調節手段と前記湿度調節手段および前記送風手段の少なくとも１つを制御することにより、周囲の空気の状態に応じて吹き出す空気質を可変することができる。
【００１２】
請求項４に記載の発明は、特に、請求項１または２に記載の酸素富化手段が、吹出し空気の酸素濃度を可変できる構成とすることにより、呼吸に使用する酸素量を可変することができる。
【００１３】
請求項５に記載の発明は、特に、請求項１または２に記載の送風手段が、吹出し空気の風量を可変できる構成とすることにより、使用者の体調の変化に応じて快適な空気を供給することができる。
【００１４】
請求項６に記載の発明は、特に、請求項１または２に記載の温度調節手段が、吹出し空気の温度を可変できる構成とすることにより、周囲空気の状態に応じて温度を調節し、快適な空気環境を提供できる。
【００１５】
請求項７に記載の発明は、特に、請求項１または２に記載の湿度調節手段が、吹出し空気の湿度を可変できる構成とすることにより、周囲空気の状態に応じて湿度を調節し、快適な空気環境を提供することができる。
【００１６】
【実施例】
以下、本発明の実施例について、図面を参照しながら説明する。
【００１７】
図１は、本発明の実施例における空気浄化装置の外観斜視図、図２は図１の空気浄化装置をＡ−Ａ’のラインに沿って縦方向に切断した状態を表す縦断面図である。
【００１８】
図１、２において、１１は空気浄化装置の本体である。空気浄化装置１１は支持台１２によって安定に設置され、支持台１２は回転軸を設け本体が前後に傾斜できる。１３は空気浄化装置１１に空気を取り入れるための吸込口、１４は清浄空気を空気浄化装置１１から吹き出すための吹出口である。吸込口１３と吹出口１４には、それぞれ空気中の塵埃を除去するためのフィルタ（図示していない）が配設されている。吹出口１４は空気の吹き出す方向を可変できるようにルーバー１５が配設されている。１６は吸込口のフィルタで除去することのできなかった、さらに細かい塵埃を除去するためのフィルタである。１７は空気中の臭気物質を除去するための脱臭用フィルタである。フィルタ１６と脱臭用フィルタ１７をあわせて浄化手段とする。脱臭用フィルタ１７には活性炭やゼオライト、光触媒等の脱臭効果を有する物質であればどんな物質を用いてもかまわない。また、フィルタ１６と脱臭用フィルタ１７は一体成型としてもかまわない。
【００１９】
１８は送風手段、１９は吹き出し空気の温度を調節するための温度調節手段である。２０は湿度調節手段で、温度調節手段１９を通過後の空気の湿度を調節する。湿度調節手段２０はゼオライトやコンプレッサーなどにより構成される。２１は清浄空気に酸素を富化する酸素富化手段であり、酸素富化膜とコンプレッサーにより構成している。
【００２０】
なお、酸素富化手段はこの構成に限るものではない。２２は制御手段、２３は空気浄化装置１１の操作部２４に配設された電源スイッチである。操作部２４には電源スイッチ２３だけでなく、温度や湿度を設定する設定ボタンが配設される。２５は周囲空気の状態を検知する検知手段である。制御手段２２は、操作部２４あるいは検知手段２５の信号に基づいて送風手段１８、温度調節手段１９、湿度調節手段２０および酸素富化手段２１を制御する。
【００２１】
以上のように構成された空気浄化装置について、以下その動作を説明する。
空気浄化装置１１の電源スイッチ２３を通電状態にし、空気浄化装置１１の本体表面に設けた操作部２４の操作ボタン等によって所望の動作状態にすると、制御手段２２により送風手段１８、温度調節手段１９、湿度調節手段２０、酸素富化手段２１およぴ検知手段２５が作動する。送風手段１８により、吸込口１３を介して外部の空気を空気浄化装置１１内に取り入れる。吸込口１３から取り入れた空気中の塵埃は、吸込口１３に配設したフィルタにより除去される。フィルタを通過した空気はフィルタ１６を通過する時にさらに小さな塵埃が除去される。塵埃が除去された空気は脱臭用フィルタ１７を通過し、空気中に含まれる臭気成分が除去され清浄空気となる。
【００２２】
浄化手段を通過後の清浄空気は温度調節手段１９へ送風される。制御手段２２は、検知手段２５が検知する温度、湿度の情報に基づく自動動作モードと操作部２４からの入力情報に基づく手動動作モードとによって個々の手段の制御を行う。清浄空気が温度調節手段１９を通過するときは清浄空気の温度を設定温度に調節する。温度調節手段１９を通過後、湿度調節手段２０においては湿度を調節する。湿度調整手段２０は、検知手段２５による検知信号に基づいて制御手段２２が周囲空気の湿度が高いと判定した場合には、制御手段２２は湿度調節手段２０を除湿モードに切り替える。湿度調節手段２０で除湿された水分は、パイプ等（図示していない）を介して本体から取り外し可能に構成された貯水手段（図示していない）に貯水する。
【００２３】
一方、周囲空気の湿度が低いと判定した場合は、制御手段２２は湿度調節手段２０を加湿モードに切り替えて清浄空気を加湿する。温度、湿度を調節した清浄空気は、酸素富化手段２１により酸素濃度が所望濃度に制御された後、吹出口１４を介して空気浄化装置１１の前面から吹き出される。ルーバー１５により吹出口１４からの清浄空気の風向は可変でき、使用者の呼吸域付近に吹出すように調節できる。
【００２４】
呼吸域付近のみに空気を送風するため、室全体を対象とした装置に比べて装置本体内を通流する空気の速度は少なくてよい。また、清浄空気への酸素富化を吹出口付近で行うため、取り入れた空気に酸素を富化する装置に比べて、酸素富化手段は小さくても対応できる。このため、温度、湿度および酸素濃度を所望の状態に制御するための本体をコンパクトな形状で構成できる。
【００２５】
したがって、机の上などに装置を配置することも容易であり、呼吸域への送風を利便性よく行うことができる装置を提供できる。
【００２６】
以下、本発明の使用例について説明する。
【００２７】
例えば、疲労回復やリフレッシュ時には操作部２４から酸素濃度を通常より高めに設定する。眠気覚ましなど、刺激を必要とする場合には、清浄空気の吹き出し温度を通常よりも低めに設定する。
【００２８】
また、使用者が運動後などには、酸素濃度を高めに設定し、吹出し風量を多く設定する。一方、使用者が座位や臥位状態にある場合には、風量が多すぎると気流感がつよくなりすぎるため、不快感が生じる。そこで、風量を不快感が生じない程度に気流を弱める制御を行う。人間の運動状態や体調に応じて吹出口１４からの風量を可変することにより、呼吸に使用するに充分な清浄空気量を供給できるものである。
【００２９】
また、高齢になるほど酸素摂取量が少なくなるため、酸素濃度の高い空気を呼吸域付近に吹き出すことで、より効果的に酸素を摂取することができる。一方、温度と湿度は人間の快・不快の感覚に大きな影響を与えることがわかっており、呼吸に用いられる空気も温度や湿度の調節をすることが好ましい。
【００３０】
以上のように、清浄空気の温度と湿度を調節し、さらに酸素濃度を富化した空気を送風することにより、快適な空気環境を提供することができる。
【００３１】
なお、本実施例では吸込口１３は空気浄化装置本体１１の前面に配設したが、背面や上面などに配設してもかまわない。また、吹出口１４からの風量を可変する場合は、使用者が操作部から可変してもよいし、自動的に変化するようにしてもかまわない。
【００３２】
【発明の効果】
以上のように、本発明の空気浄化装置によれば、温度と湿度を調節した清浄空気に酸素を富化した空気を使用者の呼吸域付近に送風することにより、室内空気の状態に応じて使用者の呼吸域に快適な空気環境を提供することができる。
【図面の簡単な説明】
【図１】本発明の実施例における空気浄化装置の外観斜視図
【図２】同、空気浄化装置を図１のＡ−Ａ’のラインに沿って縦方向に切断した状態を表す空気浄化装置の縦断面図
【図３】従来の空気清浄機の断面図
【符号の説明】
１１  空気浄化装置
１６  フィルタ（浄化手段）
１７  脱臭用フィルタ（浄化手段）
１８  送風手段
１９  温度調節手段
２０  湿度調節手段
２１  酸素富化手段
２２  制御手段
２５  検知手段
【図１】
2004163028.tif 000003
【図２】
2004163028.tif 000004
【図３】
2004163028.tif 000005